(57)【要約】      （修正有）【課題】あらゆる産業界でストレスは日常茶飯事となっておりますがこれらのストレスは過去にはほとんど存在しなかったものです。これらの新病態に対応し現代病とも言えるストレスを短時間に解決を図り自動車事故防止や昨今流行のうつ病症状を事前に予防し産業界の生産性向上を図る装置を提供する。【解決手段】人体全体を細い２本のホースで覆い、一方のホースに温水を、他方のホースに冷水をそれぞれ一定の時間通水することにより温冷法による刺激と、水圧によるマッサージ効果で疲労回復を短時間に且つ機械的に図ることが出来る装置とする。【選択図】図１
2008194421.tif 000002
【特許請求の範囲】
【請求項１】
人体全身を覆うことの出来る防水性シートの内側全体に、直径２ミリ以上３０ｍｍ以下の冷水ホースと温水ホースを、並列に並べシート全体を隈なく装着した装置であって、当該装置を以って休養状態にある人体に対し、顔面呼吸器部など一部を除いた人体の全身を覆い、当該装置それぞれのホースに冷水と温水を一定のタイムで注入と脱水を繰り返し、休養弛緩状態の人体表皮に温冷法交錯による刺激と、水圧弛緩によるマッサージ効果を与えることにより、皮膚に適度な刺激を与えると同時に短時間で休息効果を与えることを目的とした美容健康疲労回復装置。
【請求項２】
温水ホースを流れる水温は２０℃以上５０℃以下とし、冷水ホースを流れる水温は１０℃以上３０℃以下とし、実施に際しての温水及び冷水の温度差は少なくとも５℃以上の温度差があることを特徴とする請求項１の美容健康疲労回復装置
【請求項３】
温水並びに冷水ホースの注入口水位、並びに各部位の水位の位置に対し、両ホースの出口位置は必ず低位にあることを特徴とする請求項１の美容健康疲労回復装置。
【請求項４】
温冷水用各ホースが体重による蜜圧を防ぐ為に、厚さ３ミリ以上の緩衝剤を各ホース間に装着してあることを特徴とする請求項１の美容健康疲労回復装置  。
【発明の詳細な説明】
【技術分野】
【０００１】本発明は、年頃になった女性なら誰でもと言ってよいほど必ずや願望する、美容とスタイルと健康に関するもので同願望を苦痛無く爽快な気分で人体の持つ可能性を引き出す装置に関するものである。
【背景技術】
【０００２】生活が豊かになり心にゆとりが持てるようになると、次に求める人間の要求の一つに美というものがあります。特に女性にとって美に対する欲望は古代ローマの時代から今日に至るまで命の延命と同様、限りなく美容と健康は追求されてきておりますが、それらの手段の一つに指圧やマッサージなどがあり、機械的装置としては下記特許文献などが有ります。しかしこれらの効能は別として、被治験者としてはどんな機器や装置を使うよりも、人肌療法が最も感覚的、感触的に優れておりますが、人件費が高騰した今日、本発明の装置はこれらを機械的に人肌感覚に最も近い感触を再現し、誰もが手軽に利用できる装置と機会を提供するものである。
【特許文献１】特許公開２００７−００７３６１号公報  （超音波）  特許公開２００１−２５８９６６号公報  （空気圧）特に女性は年頃になると異性を気にし始め、スタイルなども気になります。ましてや子育てが済み、ゆとりの時間が多く取れるようになった中年の主婦方は、スタイルは勿論のこと、美肌や健康が日常生活の内では最も重要な要素になります。【０００３】市場も敏感で、今やいたる所に岩盤浴や美容サロンやマッサージサロンなどの営業店が数多く開店しております。これらの内、浴場系以外のほとんどの店では指圧やマッサージなどを含め、感触の最も良い手段の一つである人肌感触の手段を選びます。これらの効能は別として、被治験者としてはどんな機器や装置を使うよりも、人肌療法が最も感触や触覚的に優れているからでしょう。人件費が高騰した今日、本発明の装置はこれらを機械的に人肌感覚に最も近い感触を再現し、誰もが手軽に利用できる装置と機会を提供するものである。
【発明の開示】
【発明が解決しようとする課題】
【０００４】本発明は、かかる問題点に鑑みてなされたもので、人件費の高騰した今日、人肌感触に最も近い感触を機械的に作り出すことにより、他人の意思や都合を気にする事無く、個人の意思で自由に、指圧やマッサージに類似した行為を手軽に治験できる環境を提供しようとするものである。
【課題を解決するための手段】
【０００５】戦後の経済から脱却しゆとりの社会を迎えた今日、人々は個性豊かに個々の欲望を限りなく求め、且つ求めることの出来る時代に突入し、長寿願望はもとよりまずは健康第一とばかり健康産業界は健康機器、健康食品等など、健康産業業界は今や男性でさえも美顔サービスを受ける時代となり、ましてや女性に至っては延命はもとより、限りなく美への追及が求められる様になりました。中でも指圧やマッサージや美顔などはこれら全て人手を必要とします。【０００６】本発明では人肌に近い感触感を出す為、感触性の良いアクリルホースに、体温に近い温度帯の温水、若しくは体温より若干暖かい４１℃前後の温水を流すことにより、水分７０〜８０％と言われております人間の人肌感覚と同等、若しくは人肌に最も近い感触状態を一定時間保った後、所定の時間後に温水を抜くことにより、スート抜けるホースの減圧効果によってマッサージ感覚と類似した感触が得られ、その後、冷水ホース側に温水ホースと同様に２０℃前後の冷水を一定時間通水した後、約１０秒後に冷水を徐々に脱水することにより温水同様、水圧によるマッサージ効果と共に、指圧効果並びに肌への刺激効果が得られる。【０００７】結果的には温水、冷水それぞれのホース内へ、温水ホース側は加水から脱水までの水流約２分、冷水ホース側は加水から脱水までのホース内帯滞留時間約１分間を目安に温冷水それぞれ交合に流し、温水冷水の水流時間合計１５分間をワンサイクルとして終了する。但し最初は温水で始まり終了は冷水で終る方が最も効果的で有り目覚めもすっきりした爽快感で終えることができる。更に希望者には１５分間を追加しますがその感触効果には体験者誰もが一度は必ず眠りに付き、１５分最後の１分ですっきり目覚めることの出来る疲労回復兼美容健康装置を提供する。
【発明の効果】
【０００８】  コンピューター社会に突入し今や男性も女性も年齢にかかわらずホワイトカラー族はストレス満杯の状態です。他方、ブルーカラー族と云えども、或いは学生や子供社会でさえ、幼稚園児年齢から競争は始まっており、今や受験地獄や情報過多などストレスは街中に充満しております。産業界においても例えば長距離輸送など制限時間内での運送業務となり、やはりストレス一杯です。これらあらゆる産業界でストレスは日常茶飯事となっておりますがこれらのストレスは過去にはほとんど存在しなかったものです。本発明はこれらの新病態に対応し、現代病とも言えるストレスを短時間に解決できる本発明の装置の利用により、自動車事故防止や昨今流行のうつ病症状などを少しでも事前に予防することが出来、産業界の生産性向上を図ることが可能となる。
【発明を実施するための最良の形態】
【０００９】本発明の疲労回復兼美容健康装置の構造とその作用機能を図面で説明する。
図１は使用中の全体図であり、図２については、まず人体全体の概要のうち１１は頭部であり、１２は腕の先端、１３は腰部分、１５は脚部先端とした時、本発明品を体形に合わせ展開した場合、図２に示すように人体に沿った内径２〜４ミリの２本の樹脂系ホースを用意し、一方のホースを温水系ホース１（図２中の点線１）とし、まず体温に近い温度帯の温水、若しくは体温より若干暖かい４１℃前後の温水を流すことにより、水分７０〜８０％と言われております人間の人肌感覚と同等、若しくは人肌に最も近い感触の状態を一定時間保った後、所定の時間後に温水を図２中の６より抜くことにより、スート抜けるホースの減圧効果によってマッサージ感覚と類似した感触が得られ、その後冷水ホース側（図面実線）に温水ホースと同様２０℃の冷水を図２中の実線２より一定時間通水し１０秒前後に冷水を図２中の実線５より徐々に脱水することにより温水同様、水圧によるマッサージ効果と共に、指圧効果並びに肌への刺激効果が得られる。結果的には温水、冷水それぞれのホース内へ、温水ホース側は加水から脱水までの水流約２分、冷水ホース側は加水から脱水までの水流時間約１分間を温冷水それぞれ交合に流し、温水冷水の水流時間合計１５分間をワンサイクルとして終了する。但し最初は温水で始まり終了は冷水で終る方が最も効果的で有り目覚めもすっきりした爽快感で終えることができる。治験時間中におけるその感触効果には体験者誰もが一度は必ず眠りに付き、１５分間で終了しますが最後の１分で必ずすっきり目覚めることの出来、徹夜明けの人、マージャン疲れの人、もすっきり疲れが取れさわやかな朝、目覚めを必ず引き出せる効果があり、さわやかに就業できる効果があり、今流行のストレスから短時間に開放することが出来事故防止にも大いに効果が期待できる疲労回復兼美容健康装置を提供する。
【産業上の利用の可能性】
【００１０】  本発明装置を治験することにより、どんなに疲れていてもたちどころに疲労の回復が可能で、さわやかに業務に着手できることは、コンピューター社会に突入した現代、男性も女性も年齢にかかわらずホワイトカラー族はストレス満杯の状態です。他方、ブルーカラー族と云えども、或いは学生や子供社会でさえ、幼稚園児年齢から競争は始まっており、今や受験地獄や情報過多などストレスは街中に充満しております。産業界においても例えば長距離輸送など制限時間内での運送業務となり、やはりストレス一杯です。これらあらゆる産業界でストレスは日常茶飯事となっておりますがこれらのストレスは過去にはほとんど存在しなかったものです。本発明はこれらの新病態に対応した現代病とも言えるストレスを短時間に解決できる本発明の装置を、事務所の片隅や疲労の可能性のある現場に設置することにより、希望者は毎日でも同装置の利用が可能となり、自動車事故防止や昨今流行のうつ病症状を事前に予防し産業界の生産性向上を図る機会を提供しようとするものです。
【図面の簡単な説明】
【００１１】
【図１】図１は本発明疲労回復兼美容健康装置の実施状態の図である。
【図２】図２は本発明の疲労回復兼美容健康装置構造の図である。
【図１】
2008194421.tif 000003
【図２】
2008194421.tif 000004